(57)【要約】【課題】芯材に点火すると文字や絵柄等からなるメッセージが表示される、ろうそくを提供する。【解決手段】ワックス又は不燃性材料で形成されたカップ状の容器部材１２と、該容器部材１２の内側面１３に描かれた文字、図形、絵柄、模様又は写真等の表示部１４と、該表示部１４を覆った状態で設けられた透明又は半透明な第１ワックス層１５と、該第１ワックス層１５の表面を覆った状態で設けられた不透明な第２ワックス層１６と、前記第１ワックス層１５及び第２ワックス層１６を貫通して上面から突出すると共に前記容器部材１２に下端が埋設されている芯材１７とからなるろうそく１１である。【選択図】　　　図２
2004027089.tif 000002
【特許請求の範囲】
【請求項１】
ワックス又は不燃性材料で形成されたカップ状の容器部材と、該容器部材の内側面に描かれた文字、図形、絵柄、模様又は写真等の表示部と、該表示部を覆った状態で設けられた透明又は半透明な第１ワックス層と、該第１ワックス層の表面を覆った状態で設けられた不透明な第２ワックス層と、前記第１ワックス層及び第２ワックス層を貫通して上面から突出すると共に前記容器部材に下端が埋設されている芯材とからなることを特徴とするろうそく。
【請求項２】
第１ワックス層は、ゼリー状ワックスで形成されていることを特徴とする請求項１に記載のろうそく。
【請求項３】
芯材は、複数本が設けられていることを特徴とする請求項１に記載のろうそく。
【請求項４】
カップ状に形成された容器部材の内側面に文字、図形、絵柄、模様又は写真等を表示した表示部を設け、前記容器部材に芯材を立設し、前記容器部材内にワックスを注入して透明又は半透明な第１ワックス層を形成し、該第１ワックス層の上部にワックスを注入して不透明な第２ワックス層を形成することを特徴とするろうそくの製造方法。
【請求項５】
容器部材は、容器部材形成用型にワックスを注入して形成したものであることを特徴とする請求項４に記載のろうそくの製造方法。
【請求項６】
容器部材は、不燃性材料で形成されていることを特徴とする請求項４に記載のろうそくの製造方法。
【請求項７】
第１ワックス層は、ゼリー状ワックスを注入して形成することを特徴とする請求項４に記載のろうそくの製造方法。
【請求項８】
芯材は、複数本を立設することを特徴とする請求項４に記載のろうそくの製造方法。
【発明の詳細な説明】
【０００１】
【発明の属する技術分野】
本発明は、ろうそく、及びろうそくの製造方法に関するものであり、更に詳しくは、芯材に点火すると文字や絵柄等からなるメッセージが表示される、ろうそく、及びろうそくの製造方法に関するものである。
【０００２】
【従来の技術】
一般に、ろうそくは筒状又は円柱状に形成された蝋の中心部分に、長さ方向に沿って芯材が埋設されており、この芯材の先端部がろうそく本体の上端から突出している。そして、芯材の先端部に点火して照明に用いられる。
【０００３】
また、ろうそくの用途は照明だけでなく、例えば結婚式のキャンドルサービスに用いられたり、誕生日のバースデーケーキに立てたりして祝い事にも用いられる。更に、仏壇や神棚にろうそくを灯すなど、仏事や神事などの際にろうそくは欠かすことのできない必需品である。
【０００４】
更には、ろうそくの周面に装飾用の絵柄、模様又は文字などが描かれたものや、その上に蝋でコーティング加工したものなどがあり、種々なろうそくが様々な生活の場面で用いられている。
【０００５】
【発明が解決しようとする課題】
この従来例のろうそくにおいては、上述のように、照明として用いられる他に、祝い事や仏事や様々な生活の場面で使用されているが、ろうそくの使用方法やろうそく自体は従来から用いられている域に止まり、ろうそくに対する斬新性や意外性或いは話題性に欠けるものである。
【０００６】
従って、従来例におけるろうそくにおいては、斬新なアイデアや使用方法を新規に考案して意外性や話題性を付加し、ろうそくに新たな付加価値を付けることに解決しなければならない課題を有している。
【０００７】
【課題を解決するための手段】
前記従来例の課題を解決する具体的手段として本発明は、ワックス又は不燃性材料で形成されたカップ状の容器部材と、該容器部材の内側面に描かれた文字、図形、絵柄、模様又は写真等の表示部と、該表示部を覆った状態で設けられた透明又は半透明な第１ワックス層と、該第１ワックス層の表面を覆った状態で設けられた不透明な第２ワックス層と、前記第１ワックス層及び第２ワックス層を貫通して上面から突出すると共に前記容器部材に下端が埋設されている芯材とからなることを特徴とするろうそくを提供するものである。
【０００８】
そして、前記第１ワックス層は、ゼリー状ワックスで形成されている構成としたものであり、更に、前記芯材は、複数本が設けられている構成としたものである。
【０００９】
また、本発明は、カップ状に形成された容器部材の内側面に文字、図形、絵柄、模様又は写真等を表示した表示部を設け、前記容器部材に芯材を立設し、前記容器部材内にワックスを注入して透明又は半透明な第１ワックス層を形成し、該第１ワックス層の上部にワックスを注入して不透明な第２ワックス層を形成することを特徴とするろうそくの製造方法を提供するものである。
【００１０】
そして、前記容器部材は、容器部材形成用型にワックスを注入して形成したものであり、また、前記容器部材は、不燃性材料で形成されていることとしたものであり、更に、前記第１ワックス層は、ゼリー状ワックスを注入して形成することとしたものであり、そして、前記芯材は、複数本を立設することとしたものである。
【００１１】
本発明に係るろうそくにおいては、芯材に点火すると燃焼熱により第２ワックス層が溶けて透明な溶解溜まりが形成される。従って、容器部材の内側面に描かれた表示部が透明な第１ワックス層及び第２ワックス層を介して表れるので、文字や絵柄等からなるメッセージを表示することができる。
また、芯材に点火する前は、不透明な第２ワックス層の存在によって表示部が隠されており点火により表示部が表れるので、メッセージを開く楽しさを有すると共にその内容に一喜一憂することとなる。従って、様々な使用場面を演出してその場の雰囲気を盛り上げることができる。このように、従来にない意外性や斬新性をろうそくに付加でき、新たな付加価値を加えることができるのである。
【００１２】
また、本発明に係るろうそくの製造方法においては、芯材に点火すると容器部材の内側面に描かれた文字や絵柄等からなるメッセージが表示されるろうそくを製造することができる。
【００１３】
【発明の実施の形態】
次に、本発明の実施の形態について図面を参照しながら説明する。まず、図１から図３において、符号１１はろうそくを示し、このろうそく１１は、容器部材１２と、この容器部材１２の内側面１３（内側側面及び内側底面を含む）に描かれた表示部１４と、この表示部１４を覆った状態で設けられた透明又は半透明な第１ワックス層１５と、この第１ワックス層１５の表面を覆った状態で設けられた不透明な第２ワックス層１６と、この第２ワックス層１６から突出すると共に前記容器部材１２まで埋設されている芯材１７とから構成される。
【００１４】
容器部材１２は、図３に示すように、硬質の不透明なワックス（蝋）でカップ状に形成されており、円形状で所要の厚みを有する底部１８と、この底部１８の周縁に設けられる周縁部１９と、この周縁部１９に囲繞される凹部２０とを有し、底部１８の略中央位置には、芯材１７を挿通して立設させるための貫通孔２１が設けられている。
なお、容器部材１２の材質は、硬質のワックスに限定されるものではなく、例えば陶器、ガラス、金属等の不透明な不燃性材料で形成したものでもよい。要するに、内側面１３に表示部１４が描け且つ第１ワックス層１５と第２ワックス層１６とを保持できる材質であればよい。
【００１５】
表示部１４は、例えば転写印刷用紙に印刷された文字、図形、絵柄、模様又は写真等を内側面１３に転写して形成する。更には、表示部１４は転写印刷だけでなく、スタンプ印刷、パッド印刷、手書き、シールの貼り付け、又は彫刻等の様々な手段で内側面１３に描いてもよい。要するに、容器部材１２の内側面１３にメッセージが明瞭に描け且つワックスの注入によって滲み、剥がれ又は変色等の不都合が生じなければよいのである。
【００１６】
また、表示部１４の内容としては、一例を上げれば「合格おめでとう！」「ありがとう」「愛してる」「お小遣いちょうだいネ」「お元気ですか？」「遊びに来てね」等の様々な文言や、それらの文言に応じた風景、人物、模様、絵柄又は写真等の様々なメッセージである。
【００１７】
表示部１４の表面には、塩化ビニール等の透明なフィルム又はシートからなる保護部材を貼着させてある（図示せず）。この保護部材は、約９０〜９５℃程度に加熱されたワックスを容器部材１２の中に注入したときに、表示部１４に滲み、剥がれ又は変色等の不都合が生じないように保護する役目を果たすものである。なお、保護部材は必ずしも必要なものではなく、表示部１４の形成態様によって貼着させたりさせなかったりすればよい。
【００１８】
第１ワックス層１５は、例えば、ゼリー状ワックスで形成されている。このゼリー状ワックスは、高純度のホワイトミネラルオイル（流動パラフィン）にゲル化剤（界面活性剤）を加えたものであり、加熱すると主成分であるホワイトミネラルオイルと同じ透明な液体となり、常温で透明なゼリー状ワックスに戻る性質を供えている。
なお、第１ワックス層１５は、ゼリー状ワックスに限ることはなく、加熱状態又は常温状態で透明又は半透明なワックス（蝋）であればよく、要するに、表示部１４に描かれた内容が第１ワックス層１５を介して表れる程度に透明で且つ芯材１７が燃焼可能なワックスであればよい。
【００１９】
第２ワックス層１６は、従来周知のワックス（蝋）で形成されている。即ち、常温で不透明な固体であり、芯材１７に点火すると燃焼熱で溶けて透明な溶解溜まりが形成されるワックスである。
なお、第２ワックス層１６は、第１ワックス層１５を透して表れる表示部１４を覆い隠す役目を有するものであり、その厚さは第１ワックス層１５に比べて薄く形成される。
【００２０】
芯材１７は、木綿等で棒状に形成されており、先端部１７ａが第２ワックス層１６から突出すると共に、第１ワックス層１５を貫通して、後端部１７ｂが容器部材１２の底部１８まで埋設されている。
また、図中符号２２は、芯材１７の後端部１７ｂに設けられて、芯材１７を支えるための座金を示す。この座金２２は必ずしも必要なものではなく、場合によっては芯材１７のみ設けてもよい。
なお、芯材１７は複数本を設けてもよい（図示せず）。この場合、複数本の芯材１７に点火すると燃焼熱によって第２ワックス層１６がより広く且つ早く溶けることとなり、その結果、容器部材１２内の表示部１４を早く表示させることができる。
【００２１】
以上のような構成のろうそく１１は、図４に示すように、芯材１７に点火すると燃焼熱により第２ワックス層１６が溶けて透明な溶解溜まり２３が形成される。すると、図５に示すように、容器部材１２の内側面１３に描かれた表示部１４が透明な第１ワックス層１５及び第２ワックス層１６を介して表れるので、ろうそく１１の上から文字や絵柄等からなるメッセージを見ることができる。
また、芯材１７の火を消すと第２ワックス層１６が冷えて固化し、不透明な第２ワックス層１６が再度形成される。そして、芯材１７に点火すると透明な溶解溜まり２３が再度形成される。要するに、火を消した後に再度点火することによって、隠れているメッセージを何回も見て楽しむことができるのである。
【００２２】
次に、ろうそく１１の製造方法について説明する。まず、図６及び図７に示すような、容器部材形成用型２４にワックス（蝋）を注入して容器部材１２を形成する。
【００２３】
容器部材形成用型２４は、例えば、石膏、シリコン、金型又は木型等で形成されており、筒状の周側部材２５と、この周側部材２５の下部に設けられる底部材２６とからなる。底部材２６は、前記周側部材２５の内周面に沿って凹状溝部２７が形成されており、この凹状溝部２７が容器部材１２の周縁部１９を形成する部位である。また、底部材２６の中央に凸状部２８が設けられており、この凸状部２８が容器部材１２の凹部２０を形成する部位である。そして、凸状部２８の略中心位置には、容器部材１２の貫通孔２１を形成するための棒状部材２９が立設されている。
なお、場合によっては棒状部材２９の替わりに芯材１７を立設させ且つ底部材２６の中まで所要長さ芯材１７を挿通させてもよい。このようにしておけば、後述する芯材１７の立設工程を省略することができる。
【００２４】
このような容器部材形成用型２４には、上部から容器部材用にブレンドしたワックス（蝋）３０を注入することにより、天地が逆になった状態で容器部材１２が形成される。
そして、ワックスが硬化後に、容器部材形成用型２４を取り外すと、図３に示すような容器部材１２が形成される。
なお、容器部材１２はワックスで形成する他に、陶器、ガラス、金属等の不透明な不燃性材料で形成したものを用いてもよい。
【００２５】
次に、容器部材１２の内側面１３に、例えば転写印刷用紙に印刷された文字、絵柄等を転写するなどして表示部１４を形成する。この表示部１４の形成は、前述のように、転写印刷だけでなく、スタンプ印刷、パッド印刷、手書き、又はシールの貼り付け等の様々な手段を用いることが可能である。
【００２６】
そして、表示部１４の表面に塩化ビニール等の透明なフィルム又はシートからなる保護部材を貼着させてもよい（図示せず）。この保護部材は、約９０〜９５℃程度に加熱されたワックスを容器部材１２の中に注入したときに、表示部１４に滲み、剥がれ又は変色等の不都合が生じないように保護する役目を果たすものである。なお、保護部材の形成は必ずしも必要なものではなく、表示部１４の形成態様によって貼着させたりさせなかったりすればよい。
【００２７】
更に、容器部材１２の貫通孔２１に芯材１７を挿入して所要長さだけ立設させ、且つ芯材１７の後端部１７ｂに座金２２をセットする。なお、座金２２は必ずしも必要なものではなく、場合によっては芯材１７のみでもよい。
【００２８】
次に、容器部材１２の中にゼリー状ワックスを注入して、表示部１４を覆った状態で透明又は半透明な第１ワックス層１５を形成する（図８参照）。なお、注入するワックスは、ゼリー状ワックスに限ることはなく、加熱状態又は常温状態で透明又は半透明なワックス（蝋）であればよい。
【００２９】
第１ワックス層１５が冷却固化した後に、その上部に従来周知のワックス（蝋）を注入して、不透明な第２ワックス層１６を形成する（図２参照）。この第２ワックス層１６は、第１ワックス層１５を透して表れる表示部１４を覆い隠す役目を有するものであり、その厚さは第１ワックス層１５に比べて薄く形成される。
【００３０】
このようにして製造したろうそく１１は、芯材１７に点火すると燃焼熱により第２ワックス層１６が溶けて透明な溶解溜まり２３が形成される。すると、容器部材１２の内側面１３に描かれた表示部１４が透明な第１ワックス層１５及び第２ワックス層１６を介して表れるので、ろうそくの１１の上から文字や絵柄等からなるメッセージを見ることができる（図４及び図５参照）。
【００３１】
また、予め容器部材１２の貫通孔２１を複数箇所に形成しておき、芯材１７を複数本立設させてもよい（図示せず）。この場合、複数本の芯材１７に点火すると燃焼熱によって第２ワックス層１６がより広く且つ早く溶けることとなり、その結果、容器部材１２内の表示部１４を早く表示させることができる。
【００３２】
なお、この実施の形態では平面視が円形の筒状ろうそく１１を説明したが、必ずしも筒状に限ることはなく、例えば星形、三角形、四角形、多角形、又は楕円形状、球形状、動物形状、植物形状、又は様々な任意の形状に形成してもよいことは勿論である。この場合、カップ状の容器部材１２をそれらの形状に形成して、容器部材１２とすればよいのである。
【００３３】
【発明の効果】
以上説明したように本発明に係るろうそくは、ワックス又は不燃性材料で形成されたカップ状の容器部材と、該容器部材の内側面に描かれた文字、図形、絵柄、模様又は写真等の表示部と、該表示部を覆った状態で設けられた透明又は半透明な第１ワックス層と、該第１ワックス層の表面を覆った状態で設けられた不透明な第２ワックス層と、前記第１ワックス層及び第２ワックス層を貫通して上面から突出すると共に前記容器部材に下端が埋設されている芯材とからなることによって、この芯材に点火すると燃焼熱により第２ワックス層が溶けて透明な溶解溜まりが形成される。従って、容器部材の内側面に描かれた表示部が透明な第１ワックス層及び第２ワックス層を介して表れるので、文字や絵柄等からなるメッセージを表示することができる。
また、芯材に点火する前は、不透明な第２ワックス層の存在によって表示部が隠されており点火により表示部が表れるので、メッセージを開く楽しさを有すると共にその内容に一喜一憂することとなる。従って、様々な使用場面を演出してその場の雰囲気を盛り上げることができる。このように、従来にない意外性や斬新性をろうそくに付加でき、新たな付加価値を加えることができるという種々の優れた効果を奏する。
【００３４】
そして、第１ワックス層は、ゼリー状ワックスで形成されていることによって、加熱すると主成分であるホワイトミネラルオイルと同じ透明な液体となり、冷えると透明なゼリー状ワックスに戻る。
従って、第２ワックス層が溶けて透明な溶解溜まりが形成されると、容器部材の内側面に描かれた表示部が透明な第１ワックス層を介して表れることとなるという優れた効果を奏する。
【００３５】
更に、芯材は、複数本が設けられていることによって、複数本の芯材に点火すると燃焼熱によって第２ワックス層がより早く且つ広く溶けることとなる。その結果、容器部材内の表示部を早く表示させることができるという優れた効果を奏する。
【００３６】
また、本発明に係るろうそくの製造方法は、カップ状に形成された容器部材の内側面に文字、図形、絵柄、模様又は写真等を表示した表示部を設け、前記容器部材に芯材を立設し、前記容器部材内にワックスを注入して透明又は半透明な第１ワックス層を形成し、該第１ワックス層の上部にワックスを注入して不透明な第２ワックス層を形成することによって、芯材に点火すると容器部材の内側面に描かれた文字や絵柄等からなるメッセージが表示されるろうそくを製造することができるという優れた効果を奏する。
【００３７】
また、容器部材は、容器部材形成用型にワックスを注入して形成したものであることによって、容器部材と第１ワックス層と第２ワックス層とがワックスで一体に形成されたろうそくが製造できるという優れた効果を奏する。
【００３８】
そして、容器部材は、不燃性材料で形成されていることによって、例えば容器部材を陶器やガラスなどで形成できるという優れた効果を奏する。
【００３９】
更に、第１ワックス層は、ゼリー状ワックスを注入して形成することによって、第１ワックス層は、加熱すると主成分であるホワイトミネラルオイルと同じ透明な液体となり、冷えると透明なゼリー状ワックスに戻ることとなるという優れた効果を奏する。
【００４０】
更に、芯材は、複数本を立設することによって、複数の芯材に点火すると第２ワックス層がより早く且つ広く溶けるので、容器部材内の表示部を早く表示できるろうそくが製造されるという優れた効果を奏する。
【図面の簡単な説明】
【図１】本発明に係るろうそくの斜視図である。
【図２】本発明に係るろうそくの縦断面図である。
【図３】容器部材の縦断面図である。
【図４】本発明に係るろうそくの芯材に点火した状態の縦断面図である。
【図５】本発明に係るろうそくの芯材に点火した状態の斜視図である。
【図６】容器部材形成用型の斜視図である。
【図７】容器部材形成用型の縦断面図である。
【図８】容器部材にワックスを注入して第１ワックス層を形成した状態の縦断面図である。
【符号の説明】
１１　ろうそく
１２　容器部材
１３　内側面（内側側面及び内側底面を含む）
１４　表示部
１５　第１ワックス層
１６　第２ワックス層
１７　芯材
１７ａ先端部
１７ｂ後端部
１８　底部
１９　周縁部
２０　凹部
２１　貫通孔
２２　座金
２３　溶解溜まり
２４　容器部材形成用型
２５　周側部材
２６　底部材
２７　凹状溝部
２８　凸状部
２９　棒状部材
３０　ワックス
【図１】
2004027089.tif 000003
【図２】
2004027089.tif 000004
【図３】
2004027089.tif 000005
【図４】
2004027089.tif 000006
【図５】
2004027089.tif 000007
【図６】
2004027089.tif 000008
【図７】
2004027089.tif 000009
【図８】
2004027089.tif 000010